(57)【特許請求の範囲】
【請求項１】
上箱および下箱などの包装箱の板面に設けた結合用孔の外周面に当接する鍔と、前記鍔と一体となり前記結合用孔の内側に挿入される胴部と、前記胴部先端にヒンジ部を介して連結され、挟み片をもつ一対の爪部と、一方の爪部の下部に設けたツマミ片を有し、前記一対の爪部を前記結合用孔に通したのちツマミ片の押し上げにより外開きしてその挟み片を結合用孔の周面に当接させるとともに、爪部相互をその係合部の相互係合により固定し、前記爪部の挟み片と鍔で包装箱の結合用孔の縁を挟むことにより取付けられる包装用止め具であって、前記爪部相互の係合位置を変えることにより挟み片の角度を変化させ、鍔と挟み片との挟み間隔を変更可能に構成し、一対の爪部の一方のツマミ片には、その先端に対向爪部側に突出する係合片を形成し、他方の爪部の下部の対向爪部側には、前記係合片の回動軌跡上に位置する複数の係止部を形成し、前記複数の係止部の一つに係合片を選択して係止可能に構成したことを特徴とする包装用止め具。
【請求項２】
一対の爪部の一方におけるツマミ片とその先端の係合片は、相対向する２つの片よりなり、他方の爪部における複数の係止部は、対向爪部側の面に形成した相対向する２つのリブの内側に形成され、前記２つの係合片が２つのリブ間に案内され、かつ、前記複数の係止部の一つに係合片を選択して係止可能に構成したことを特徴とする請求項１記載の包装用止め具。
【請求項３】
相対向する２つの片よりなる係合片はツマミ片とともに間隔が狭まる方向に可動自在に形成され、前記間隔を狭めることにより相対向する２つのリブの内側に形成された係止部との係止を解除するようにしたことを特徴とする請求項２記載の包装用止め具。
【発明の詳細な説明】
【０００１】
【発明の属する技術分野】
本発明は、大型重量機器等の包装に用いる上箱および下箱など、２つの包装部材の結合具で、また、把手としても利用できる包装用止め具に関する。
【０００２】
【従来の技術】
一般に、テレビジョン受像機、ディスプレイ、複写機などの大型重量機器の包装は、図７に示すように段ボールなどよりなる上箱１と下箱２とに分離し、包装作業および開梱作業を行い易すくしている。そして、上箱１と下箱２の結合手段として、バンド３を使用している。
【０００３】
しかし、このような包装構成では、輸送途中にバンド３が切断したり緩んだりすることがある。このようなことから、特公昭５６−２８７７８号公報等に見られる包装用止め具が用いられるようになってきている。
【０００４】
図８に示すようにこの包装用止め具４は、上箱１と下箱２に共通に形成した結合用孔５に嵌め込み、上箱１と下箱２を結合し、また、把手としても機能させるようにしている。
【０００５】
この包装用止め具４についてさらに詳しく説明すると、図９および図１０に示すように、鍔６と、前記鍔６と一体の胴部７と、前記胴部７先端にヒンジ部を介して連結された断面Ｌ字状の一対の爪部８と、前記一対の爪部８の一方の下面に形成されたツマミ片９よりなり、かつ、多少の弾性をもつポリプロピレンを材料とし、これらの各部が一体に成型されていわゆるワンピース化されている。
【０００６】
そして、図１１に示すように上箱１と下箱２に共通に形成した結合用孔５に胴部７を挿入するとともに一対の爪部８を通したのち、図１２に示すようにツマミ片９の押し上げにより一対の爪部８を外開きし、この爪部８を下箱２の内面側における結合用孔５の周面に当接させ、また、鍔６を上箱１の外面側における結合用孔５の周面に当接させ、前記爪部８と鍔６で上箱１および下箱２の結合用孔５の縁を挟むことにより取付けられるようにしている。さらに、ツマミ片９の先端を他方の爪部８に係合して、一対の爪部８の外開き状態を固定化するようにしている。
【０００７】
この包装用止め具４は、２つの包装部材をいわゆるワンタッチで容易に結合でき、また、取はずしも容易であり、しかも、輸送途中で結合が緩むこともなく、把手としても機能させることができ、さらに、部品のワンピース化ができることにおいて有効である。
【０００８】
【発明が解決しようとする課題】
しかしながら、たとえば上箱１と下箱２の厚みは、包装する機器の種類、重量によって異なるものであり、これに対して前記の包装用止め具４は、外開きした爪部８と鍔６の挟み間隙は一定であり、厚みの異なる包装材の結合には適用できないという問題がある。したがって、爪部８と鍔６の挟み間隔の異なる数種の包装用止め具を用意しておかなければならず、経済てきではない。
【０００９】
本発明は前記従来の問題に留意し、爪部と鍔の挟み間隔を可変でき、厚みの異なる各包装材の結合に適用できる包装用止め具を提供することを目的とする。
【００１０】
【課題を解決するための手段】
前記目的を達成するため、本発明は鍔と、前記鍔と一体の胴部と、前記胴部先端にヒンジ部を介して連結された一対の爪部を有し、前記一対の爪部を包装部材の結合用孔に通したのち外開きしてその挟み片を結合用孔の周面に当接させるとともに、一対の爪部を互いに係合させて固定し、前記爪部の挟み片と鍔で包装箱の結合用孔の縁を挟むことにより取付けられる構成で、前記爪部相互の係合位置を変えることにより挟み片の角度を変化させ、鍔と挟み片との挟み間隔を変更可能にし、一対の爪部の一方のツマミ片には、その先端に対向爪部側に突出する係合片を形成し、他方の爪部の下部の対向爪部側には、前記係合片の回動軌跡上に位置する複数の係止部を形成し、前記複数の係止部の一つに係合片を選択して係止可能にした包装用止め具の構成とする。
【００１１】
本発明によれば、挟み間隔を可変でき、厚みの異なる各包装材の結合に適用できる包装用止め具を実現することができる。
【００１２】
【発明の実施の形態】
本発明の請求項１に記載の発明は、上箱および下箱などの包装箱の板面に設けた結合用孔の外周面に当接する鍔と、前記鍔と一体となり前記結合用孔の内側に挿入される胴部と、前記胴部先端にヒンジ部を介して連結され、挟み片をもつ一対の爪部と、一方の爪部の下部に設けたツマミ片を有し、前記一対の爪部を前記結合用孔に通したのちツマミ片の押し上げにより外開きしてその挟み片を結合用孔の周面に当接させるとともに、爪部相互をその係合部の相互係合により固定し、前記爪部の挟み片と鍔で包装箱の結合用孔の縁を挟むことにより取付けられる包装用止め具であって、前記爪部相互の係合位置を変えることにより挟み片の角度を変化させ、鍔と挟み片との挟み間隔を変更可能に構成し、一対の爪部の一方のツマミ片には、その先端に対向爪部側に突出する係合片を形成し、他方の爪部の下部の対向爪部側には、前記係合片の回動軌跡上に位置する複数の係止部を形成し、前記複数の係止部の一つに係合片を選択して係止可能に構成した包装用止め具であり、挟み片の角度を変化させて挟み間隔を変更することが可能なことから、厚みの異なる各包装材の結合に適用できるという作用を有する。
【００１３】
また、複数の係止部の一つに係合片を選択して係合することで挟み片の角度を変化させて挟み間隔を変更できるので、厚みの異なる各包装材の結合に適用できるという作用を有す  る。
【００１４】
本発明の請求項２に記載の発明は、請求項１に記載の包装用止め具において、一対の爪部の一方におけるツマミ片とその先端の係合片は、相対向する２つの片よりなり、他方の爪部における複数の係止部は、対向爪部側の面に形成した相対向する２つのリブの内側に形成され、前記２つの係合片が２つのリブ間に案内され、かつ、前記複数の係止部の一つに係合片を選択して係止可能に構成したものであり、複数の係止部の一つに係合片を選択して係合するとき、回動する係合片が２つのリブ案内され、係合部への係合が容易に、かつ、確実にできるという作用を有する。
【００１５】
本発明の請求項３に記載の発明は、請求項２に記載の包装用止め具において、相対向する２つの片よりなる係合片はツマミ片とともに間隔が狭まる方向に可動自在に形成され、前記間隔を狭めることにより相対向する２つのリブの内側に形成された係止部との係止を解除するようにしたものであり、２つのツマミ片を狭めるようにつまむことで係止部との係止を容易に解除できるという作用を有する。
【００１６】
以下、本発明の実施の形態を図面を参照して説明する。
（実施の形態１）
図１は、本発明の実施の形態１の包装用止め具の正面図、図２は、同包装用止め具の背面図、図３は、同包装用止め具の断面図、図４は、同包装用止め具の結合状態の断面図、図５および図６は、同包装用止め具の挟み間隔の変化を示す断面図である。
【００１７】
図１〜３に示すように、包装用止め具１０は鍔１１と、前記鍔１１と一体の胴部１２と、前記胴部１２先端にヒンジ部１３を介して連結された断面略Ｔ字状の一対の爪部１３よりなり、多少の弾性をもつポリプロピレンを材料とし、これらの各部が一体に成型されていわゆるワンピース化されている。
【００１８】
前記断面略Ｔ字状の一対の爪部１３は、外側の一片を挟み片１３ａとし、内側の他片を胴部の閉塞片１３ｂとしている。そして、一方の爪部１３の閉塞片１３ｂの下面には、相対する２条のリブよりなるツマミ片１４を形成してあり、さらに前記２つのツマミ片１４それぞれの対向爪部側の先端に、係合段部をもつ係合片１５を形成している。一方、他方の爪部１３の下部で、かつ、対向爪部側の面には、前記係合片１５の両側に位置し、前記係合片１５の回動を案内できるように相対する２条のリブ１６を形成してあり、さらに、このリブ１６の内側で、かつ、係合片１５の回動軌跡上の位置に複数の突起よりなる係止部１７を形成させている。
【００１９】
上記構成の包装用止め具１０は、図４に示すように上箱１８と下箱１９に共通に形成した結合用孔２０に胴部１２を挿入するとともに、一対の爪部１３を通したのち、ツマミ片１４をつまんでこれを胴部１２内で押し上げることにより、一対の爪部１３は外開きし、この爪部１３の挟み片１３ａが下箱２の内面側における結合用孔２０の周面に当接し、また、鍔１１が上箱１８の外面側における結合用孔２０の周面に当接し、前記挟み片１３ａと鍔１１で上箱１８および下箱１９の結合用孔２０の縁を挟むことにより取付けられる。この場合、爪部１３の閉塞片１３ｂは、胴部１２を閉塞し、胴部１２よりごみが入らないように機能する。
【００２０】
前記ツマミ片１４をつまんでこれを胴部１２内で押し上げたとき、ツマミ片１４の先端の係合片１５は、対向側の爪部１３における２つのリブ１６間に案内されて移動し、前記リブ１６の内側に突出した係止部１７に係合し、一対の爪部８相互を固定し、前記挟み片１３ａと鍔１１による上箱１８および下箱１９の結合用孔２０の縁を挟みつけを安定化する。
【００２１】
ここで特徴的なことは、前記リブ１６の内側に突出した係止部１７は、係合片１５の回動軌跡上に２個設けられており、この２個の係止部１７に係合片１５を選択的に係合できるようにしたことにある。そして、下方の第１の係止部１７に係合片１５を係合した場合は、図６に示すように挟み片１３ａが鍔１１とほぼ平行な関係にあって、上箱１８および下箱１９の結合用孔２０の縁を挟みつける。つぎに、前記上箱１８および下箱１９の厚みが小さい場合は、上方の第２の係止部１７に係合片１５を係合させる。この係合のとき、図７に示すように挟み片１３ａは傾斜し、その先端と鍔１１との挟み間隔を小さくする。したがつて、上箱１８および下箱１９の厚みが異なるものにも適用できる。したがつて、前記係止部１７の数を多くすることにより、上箱１８および下箱１９の厚みが種々異なるものにも適用できることとなる。
【００２２】
なお、この包装用止め具１０は、ポリプロピレンなど弾性を有する材料より形成されていることから、前記係止部１７に係合片１５を係合させるとき、係合片１５が弾性により係止部１７を乗り越えて係止させることができ、また、ツマミ片１４も弾性を持つことから間隔が狭まるようにつまむことができるので、前記係止部１７より係合片１５を容易に係合解除できる。
【００２３】
このように本実施の形態１の包装用止め具は、２つの包装部材をいわゆるワンタッチで容易に結合でき、また、取はずしも容易であり、しかも、輸送途中で結合が緩むこともなく、把手としても機能させることができ、さらに、部品のワンピース化ができる。特に、包装材の厚みが種々異なったものでも適用できる。
【００２４】
なお、前記実施の形態１では、爪部が胴部の閉塞片を有する構成としているが、本発明の包装用止め具は、前記閉塞片は必ずしも必要としない。
【００２５】
【発明の効果】
以上の説明より明らかなように本発明は、厚みの異なる各包装材の結合に適用できるという作用を有する。
【図面の簡単な説明】
【図１】本発明の実施の形態１の包装用止め具の正面図
【図２】同包装用止め具の背面図
【図３】同包装用止め具の断面図
【図４】同包装用止め具の結合状態の断面図
【図５】同包装用止め具の挟み間隔の変化を示す断面図
【図６】同包装用止め具の挟み間隔の変化を示す断面図
【図７】従来の包装装置の斜視図
【図８】従来の他の包装装置の斜視図
【図９】従来の包装用止め具の平面図
【図１０】同包装用止め具の側面図
【図１１】同包装用止め具の取付け状態の説明図
【図１２】同包装用止め具の取付け状態の説明図
【符号の説明】
１０  包装用止め具
１１  鍔
１２  胴部
１３  爪部
１３ａ  挟み片
１３ｂ  閉塞片
１４  ツマミ片
１５  係合片
１６  リブ
１７  係止部
１８  上箱
１９  下箱
２０  結合用孔
【図１】
0004134392.tif 000002
【図２】
0004134392.tif 000003
【図３】
0004134392.tif 000004
【図４】
0004134392.tif 000005
【図５】
0004134392.tif 000006
【図６】
0004134392.tif 000007
【図７】
0004134392.tif 000008
【図８】
0004134392.tif 000009
【図９】
0004134392.tif 000010
【図１０】
0004134392.tif 000011
【図１１】
0004134392.tif 000012
【図１２】
0004134392.tif 000013